【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
入力電磁エネルギを受け取る第１の手段と、
前記入力電磁エネルギを受け取ると、放射電磁エネルギを与える第２の手段であって、前記放射電磁エネルギが円錐アンテナ素子を介して与えられる、第２の手段と、
前記放射電磁エネルギを特定の方向に方向付ける第３の手段であって、前記第３の手段が、前記第２の手段の後ろに選択的に配置された後部反射器を含み、したがって、前記アンテナ素子の縦軸が、前記後部反射器にほぼ平行し、後方に反射されたエネルギを前記第２の手段の前方へ反射し、それによって、反射された電磁エネルギを、前記第２の手段から前方に放射されたエネルギと同位相で結合させる第３の手段とを含むコンパクトな広帯域アンテナ。
【請求項２】
前記第３の手段が、誘電材料の複数の層をさらに含む請求項１記載のシステム。
【請求項３】
誘電材料の前記複数の層の１つ以上が、前記第２の手段の角度を付けられた放射表面を部分的に取り囲んでいる請求項２記載のシステム。
【請求項４】
前記円錐アンテナ素子が、誘電材料の第１の層によって支持され、部分的に取り囲まれている請求項１記載のシステム。
【請求項５】
前記円錐アンテナ素子の上部部分が、誘電材料を欠いている請求項４記載のシステム。
【請求項６】
誘電材料の前記第１の層が、１つ以上の傾斜をつけられた表面を含む請求項４記載のシステム。
【請求項７】
前記第１の手段が、同軸フィード伝送線路またはワイヤに結合された入力ストリップ線路の伝送線路をもつアンテナフィードを含み、同軸フィード伝送線路またはワイヤが、前記円錐アンテナ素子の頂点に結合されている請求項４記載のシステム。
【請求項８】
前記ストリップ線路の伝送線路が、先細部分をもつ中心導体を含む請求項７記載のシステム。
【請求項９】
前記ストリップ線路の伝送線路が、上部接地平面と底部接地平面との間に誘電材料を含み、前記誘電材料が、ストリップ線路の中心導体を収容している請求項８記載のシステム。
【請求項１０】
前記上部接地平面と前記底部接地平面との間の前記誘電材料が、そこを貫通しているアンテナ同調孔を含む請求項９記載のシステム。
【請求項１１】
前記アンテナ同調孔が、前記ストリップ線路の中心導体と前記同軸フィード伝送線路またはワイヤとの間の遷移部を部分的に取り囲んでいる請求項１０記載のシステム。
【請求項１２】
前記上部接地平面と前記第１の誘電体層との間に第２の誘電体層をさらに含む請求項９記載のシステム。
【請求項１３】
前記アンテナが取り付けられている取り付けシステムをさらに含むシステムであって、前記取り付けシステムが、前記アンテナによって伝送された放射とほぼ平行している縦軸をもつ請求項７記載のシステム。
【請求項１４】
前記後部反射器が、指向性ビームを生成するように、前記円錐素子に関係して配置されている請求項１記載のシステム。
【請求項１５】
アンテナフィードと、
前記アンテナフィードに通じている実質的に円錐のアンテナ素子と、
前記円錐アンテナ素子を支持し、前記アンテナフィードを収容している１つ以上の層状の誘電体と、
前記円錐アンテナ素子の縦軸にほぼ平行して配置されていて、前記アンテナの前方に向ける反射表面をもつ後部反射器とを含むコンパクトな広帯域アンテナ。
【請求項１６】
前記１つ以上の層状の誘電体が、そこを貫通している１つ以上のアンテナ同調孔を含む請求項１５記載のシステム。
【請求項１７】
前記アンテナフィードが、前記円錐アンテナ素子の頂点に接続している同軸フィード伝送線路を含む請求項１６記載のシステム。
【請求項１８】
前記アンテナフィードが、前記層状の誘電体の1つ以上によって支持されているストリップ線路の伝送線路を含み、前記ストリップ線路の伝送線路が、入力伝送線路と前記同軸フィード伝送線路との間に接続されている請求項１７記載のシステム。
【請求項１９】
縦軸をもつ円錐アンテナ素子と、
前記アンテナ素子のフィード端部に接続されたアンテナフィード部分と、
前記アンテナ素子に関係して配置された構造であって、前記アンテナフィード部分へ入力されたフィード信号に応答して、伝送ビームを、前記縦軸に垂直な成分をもつ方向に方向付けることを容易にする構造と、
前記アンテナ素子の前記縦軸にほぼ平行な表面をもつ後部反射器とを含むコンパクトな指向性アンテナ。
【請求項２０】
前記アンテナ素子が、前記アンテナ素子のフィード端部から前記アンテナ素子の開放端部へ向かって直径が大きくなる直径をもつ請求項１９記載のシステム。
【請求項２１】
前記アンテナ素子が、前記縦軸に関してほぼ対称である請求項２０記載のシステム。
【請求項２２】
前記アンテナ素子が、誘電材料によって支持されている導電性の壁を含む請求項２０記載のシステム。
【請求項２３】
前記後部反射器が、前記誘電材料によって支持されている請求項２２記載のシステム。
【請求項２４】
前記誘電材料が、希望の帯域内におけるアンテナ同調を容易にし、前記ビームを希望の方向に方向付けることを容易にするのに十分な層状の誘電体の混合物を含む請求項２３記載のシステム。
【請求項２５】
前記アンテナ素子が、中実の円錐構造を含む請求項２３記載のシステム。
【請求項２６】
前記中実の円錐構造が、銅を含む請求項２５記載のシステム。
【請求項２７】
前記アンテナ素子が、中空の円錐構造の頂点の近くに前記フィード端部を、前記中空の円錐構造の反対側の端部に前記開放端部をもつ前記中空の円錐構造を含む請求項２３記載のシステム。
【請求項２８】
前記円錐構造が、ニッケルでめっきされた、または銅の、あるいはこの両者の表面を含む請求項２７記載のシステム。
【請求項２９】
前記後部反射器が、ニッケルでめっきされた、または銅の、あるいはこの両者の表面を含む請求項２７記載のシステム。
【請求項３０】
前記アンテナフィードが、第１のフィード層上に配置された同軸からストリップ線路への遷移部を含む請求項２７記載のシステム。
【請求項３１】
前記第１のフィード層の上部に配置された１つ以上の追加の層をさらに含むシステムであって、前記１つ以上の追加の層が、ストリップ線路からの電磁エネルギを前記アンテナ素子へ結合するのに十分な1つ以上の孔をその中にもつ請求項３０記載のシステム。
【請求項３２】
前記１つ以上の追加の層が、１つ以上の誘電体層を含む請求項３１記載のシステム。
【請求項３３】
前記アンテナが取り付けられる取り付けシステムをさらに含むシステムであって、前記アンテナの傾斜をつけられた出力切子面が、前記取り付けシステムの先端へ向かって、前記取り付けシステムの縦軸にほぼ平行に送るように、前記アンテナが取り付けられる請求項３２記載のシステム。
【請求項３４】
電磁エネルギを放射する方法であって、
入力電磁エネルギを受け取るステップと、
前記入力電磁エネルギを受け取ると、放射電磁エネルギを与えるステップであって、前記放射電磁エネルギが、フィード端部からその開放端部へ向かって大きくなる直径をもつユニタリーアンテナ素子を介して与えられるステップと、
前記アンテナ素子の縦軸にほぼ平行し、それに対して前方に向ける反射表面位置をもつ後部反射器を用いて、前記放射電磁エネルギを所定の方向に方向付けるステップとを含む方法。
【請求項３５】
入力電磁エネルギを受け取る第１の手段と、
前記入力電磁エネルギを受け取ると、放射電磁エネルギを与える第２の手段であって、前記放射電磁エネルギが、フィード端部からその開放端部へ向かって大きくなる直径をもつユニタリーアンテナ素子を介して与えられる第２の手段と、
前記放射電磁エネルギを特定の方向に方向付ける第３の手段であって、前記第３の手段が、前記アンテナ素子から放射されたエネルギを、その縦軸に対して直角の方向に反射するように取り付けられた後部反射器を含む第３の手段とを含むコンパクトな広帯域アンテナ。
【請求項３６】
前記アンテナ素子が円錐である請求項３５記載のアンテナ。
【請求項３７】
前記アンテナ素子が中空である請求項３５記載のアンテナ。